(57)【要約】【課題】使用者から見て通気用の開口が目立ちにくく、かつ、通気用の開口を通じて煮汁等が浸入することを抑えることができるガスこんろを提供する。【解決手段】ガスこんろは、筐体８と、筐体８内に取り付けられたガスバーナ２と、ガスバーナ２の上部を通すためのバーナ挿通口１１０が上下に貫通形成された天板部１を具備する。筐体８内の空間を外部に連通させる少なくとも一つの通気口１５０が、天板部１の奥側を向く側面１５ｂに貫通形成されている。通気口１５０は、筐体８内に燃焼用の外気を取り込むための給気口である。【選択図】図２
2020085324.tif 000002
【特許請求の範囲】
【請求項１】
筐体と、
前記筐体内に取り付けられたガスバーナと、
前記ガスバーナの上部を通すためのバーナ挿通口が形成された天板部を具備し、
前記天板部の側面には、前記筐体内の空間を外部に連通させる少なくとも一つの通気口が形成されている
ガスこんろ。
【請求項２】
前記天板部は、
前記バーナ挿通口が形成された天板本体と、
前記天板本体の周縁部の下方に位置し、かつ前記天板本体に連結された枠体を含み、
前記少なくとも一つの通気口は、前記枠体に形成されている
請求項１に記載のガスこんろ。
【請求項３】
平面視において、前記天板本体は前記枠体よりも大きな外形を有し、前記天板本体によって前記枠体が隠れるように構成されている
請求項２に記載のガスこんろ。
【請求項４】
前記天板本体は、前記通気口の上方を覆うように外側方に突出した端縁部を有する
請求項２又は３に記載のガスこんろ。
【請求項５】
前記枠体は、使用者から見て奥側を向くように形成された奥側の側面を有し、
前記少なくとも一つの通気口は、前記奥側の側面に形成された通気口を含む
請求項２から４のいずれか一項に記載のガスこんろ。
【請求項６】
天板部は、前記通気口の縁から前記天板部の内側に向けて延長されたフランジを有する
請求項１から５のいずれか一項に記載のガスこんろ。
【発明の詳細な説明】
【技術分野】
【０００１】
本発明は、ガスこんろに関する。
【背景技術】
【０００２】
ガスこんろにおいて、天板部の上面に通気用の開口が設けられたものが、従来公知である（例えば特許文献１参照）。
【先行技術文献】
【特許文献】
【０００３】
【特許文献１】特開２０１０−３２１３５号公報
【発明の概要】
【発明が解決しようとする課題】
【０００４】
上記した従来の技術では、天板部の上面に通気用の開口が位置するため、これを上方から見たときに開口が目につきやすいという問題や、通気用の開口を通じて煮汁等が浸入しやすいという問題がある。
【０００５】
本発明は、通気用の開口が目立ちにくく、かつ、通気用の開口を通じて煮汁等が浸入することを抑えることができるガスこんろを提供することを、目的とする。
【課題を解決するための手段】
【０００６】
本発明の一態様に係るガスこんろは、筐体と、前記筐体内に取り付けられたガスバーナと、前記ガスバーナの上部を通すためのバーナ挿通口が形成された天板部を具備する。前記天板部の側面には、前記筐体内の空間を外部に連通させる少なくとも一つの通気口が形成されている。
【発明の効果】
【０００７】
本発明は、通気用の開口が目立ちにくく、かつ、通気用の開口を通じて煮汁等が浸入することを抑えることができるという効果を奏する。
【図面の簡単な説明】
【０００８】
【図１】図１は、一実施形態のガスこんろを前斜め上方から見た斜視図である。
【図２】図２は、同上のガスこんろを後ろ斜め上方から見た斜視図である。
【図３】図３は、同上のガスこんろの平面図である。
【図４】図４は、図３のＡ−Ａ線断面図である。
【図５】図５は、同上のガスこんろから天板部を外した状態の斜視図である。
【図６】図６は、図５のＰ部拡大図である。
【図７】図７は、同上の天板部の分解斜視図である。
【図８】図８は、同上の天板部が備える枠体の下面図である。
【発明を実施するための形態】
【０００９】
（一実施形態）
本開示のガスこんろについて、一実施形態に基づいて説明する。図１−図３には、一実施形態のガスこんろの全体を示している。
【００１０】
以下の説明では、一実施形態のガスこんろに対して使用者が位置する側を手前側とし、これの反対側を奥側とする。以下の説明で用いる左側と右側は、使用者の視点を基準とする。
【００１１】
一実施形態のガスこんろは、ビルトインこんろである。一実施形態のガスこんろは、例えばキャビネット内に組み込まれて用いられる。
【００１２】
一実施形態のガスこんろは、上端が開口した金属製の筐体８と、筐体８の上端の開口を閉じるように筐体８に装着された天板部１と、筐体８の内側に組み付けられた２つのガスバーナ２を備える。
【００１３】
２つのガスバーナ２の上部が、天板部１が有する２つのバーナ挿通口１１０を通じて、それぞれ天板部１の上方に突出している。具体的には、手前側のガスバーナ２が備えるバーナ本体２２の上部と、これに載置されたバーナキャップ２４が、手前側のバーナ挿通口１１０を通じて上方に突出している。また、奥側のガスバーナ２が備えるバーナ本体２２の上部と、これに載置されたバーナキャップ２４が、奥側のバーナ挿通口１１０を通じて上方に突出している。
【００１４】
バーナ本体２２には、筐体８の内側に組み付けられた管路４（図５参照）を通じて、燃焼用のガスが供給される。バーナキャップ２４は、バーナ本体２２の上方を覆うように装着され、バーナキャップ２４の外周面には、その全周に亘って炎孔部２４５が形成されている。炎孔部２４５からは、バーナ本体２２を通じて供給されたガスが、外側方に向けて放出される。ガスバーナ２は、炎孔部２４５から放出されたガスに着火させるための点火プラグ２８を、更に備えている。
【００１５】
天板部１は、金属材料（例えばステンレス）を用いて、全体が平板状に成形されている。より具体的に述べると、天板部１は、２つのバーナ挿通口１１０が上下に貫通形成された矩形平板状の天板本体１１と、左右のねじ具６を用いて天板本体１１に連結された矩形枠状の枠体１５を含む（図７等参照）。
【００１６】
天板本体１１のバーナ挿通口１１０の開口縁には、バーナリング１７が上方から着脱自在に装着される。更に、バーナリング１７の上に乗るように、五徳９が着脱自在に配置される。
【００１７】
天板本体１１と枠体１５は、ともに金属材料（例えばステンレス）を用いて成形されている。天板本体１１に枠体１５が連結された状態において、枠体１５は、天板本体１１の周縁部の下方に位置する。枠体１５は、天板本体１１の周縁部から、天板本体１１と直交する方向（つまり鉛直下方）に延長された形状を有する。
【００１８】
平面視において、天板本体１１と枠体１５の外形はともに矩形状であり、天板本体１１の外形は、枠体１５の外形よりも僅かに大きい。図３に示すように、一実施形態のガスこんろでは、平面視において、枠体１５が天板本体１１によって隠れるように構成されている。枠体１５のより詳細な構造については後述する。
【００１９】
天板本体１１のうち、２つのバーナ挿通口１１０よりも手前側の箇所の上面には、図７に示す左右のねじ具６を用いて、左右に長い板状の遮熱壁１８が固定される。遮熱壁１８は、これよりも手前側に位置する操作部３が、火炎から生じる輻射熱の影響で高温になることを抑えるための部材である。
【００２０】
遮熱壁１８の下端面が有する図示略のねじ孔に対して、天板本体１１を通じて下方からねじ具６を挿し込んで結合させることで、遮熱壁１８と天板部１が一体化する。
【００２１】
操作部３は、天板部１のうち手前側の端部に設けられている。操作部３は、加熱モードの切り替え操作を行うための押しボタン式のスイッチ３１と、２つのガスバーナ２の火力操作を個別に行うための左右の摘み部３２を含む（図１、図３等参照）。左右の摘み部３２とスイッチ３１は、いずれも天板本体１１に設けた開口部分１１３（図７参照）を通じて、天板部１の上方から装着される。
【００２２】
天板本体１１の下面には、枠体１５を介して、左右の係止具５が更に固定される。一実施形態のガスこんろでは、天板本体１１に対して下方から挿し込んだ左右のねじ具６で、天板本体１１の周縁部の下面に対して枠体１５と左右の係止具５がともに固定され、かつ、天板本体１１の上面に遮熱壁１８が固定される。なお、これらの固定の手段はねじ固定に限定されず、溶接、接着等の手段を用いることも可能である。
【００２３】
係止具５は、天板部１を筐体８に装着するために用いられる。左右の係止具５はともに、弾性変形可能な引掛片５２を有する金具である。図５に示すように、筐体８の内側には、左右の被係止具７が固定されている。天板部１に固定された左右の係止具５は、筐体８に固定された左右の被係止具７と一対一で対応する位置にある。係止具５が有する引掛片５２が、対応する被係止具７の孔７５に対して弾性的に係止することで、筐体８の開口を閉じるように天板部１が装着される。
【００２４】
次に、枠体１５の詳細な構造について説明する。
【００２５】
図７、図８等に示すように、枠体１５は、天板部１の周縁部分を形成する矩形枠状の金属部材である。枠体１５は、手前側の枠材１５１、奥側の枠材１５２、左側の枠材１５３、及び右側の枠材１５４を、一体に有する。手前側の枠材１５１と奥側の枠材１５２は、ともに左右方向に長く形成されている。左側の枠材１５３は、手前側の枠材１５１と奥側の枠材１５２の左側の端部同士をつなぐ部分であり、両枠材１５１，１５２と直交するように形成されている。右側の枠材１５４は、手前側の枠材１５１と奥側の枠材１５２の右側の端部同士をつなぐ部分であり、両枠材１５１，１５２と直交するように形成されている。
【００２６】
手前側の枠材１５１は、上下に幅を有する長板状の枠材本体１５１１と、この枠材本体１５１１の上端縁から内側（つまり奥側）に向けて延長された受け片１５１６を、一体に有する。枠材本体１５１１の外側面が、枠体１５の手前側の側面１５ａを構成し、ひいては天板部１の手前側の側面を構成する。受け片１５１６は、天板本体１１の下面の手前側の端部に当たるように構成されている。
【００２７】
奥側の枠材１５２は、上下に幅を有する長板状の枠材本体１５２１と、この枠材本体１５２１の上端縁から内側（つまり手前側）に向けて延長された受け片１５２６を、一体に有する。枠材本体１５２１の上下の幅は、手前側の枠材本体１５１１の上下の幅と一致する。枠材本体１５２１の外側面が、枠体１５の奥側の側面１５ｂを構成し、ひいては天板部１の奥側の側面を構成する。受け片１５２６は、天板本体１１の下面の奥側の端部に当たるように構成されている。
【００２８】
左側の枠材１５３は、上下に幅を有する長板状の枠材本体１５３１と、この枠材本体１５３１の上端縁から内側（つまり右側）に向けて延長された受け片１５３６を、一体に有する。枠材本体１５３１の上下の幅は、手前側及び奥側の枠材本体１５１１，１５２１の上下の幅と一致する。枠材本体１５３１の外側面が、枠体１５の左側の側面１５ｃを構成し、ひいては天板部１の左側の側面を構成する。受け片１５３６は、天板本体１１の下面の左側の端部に当たるように構成されている。
【００２９】
受け片１５３６の手前側の部分には、左側のねじ具６を挿通する孔１５３８が上下に貫通形成されている。左側の係止具５は、受け片１５３６の手前側の部分の下面に、左側のねじ具６を用いて固定される。
【００３０】
右側の枠材１５４は、上下に幅を有する長板状の枠材本体１５４１と、この枠材本体１５４１の上端縁から内側（つまり左側）に向けて延長された受け片１５４６を、一体に有する。枠材本体１５４１の上下の幅は、手前側、奥側及び左側の枠材本体１５１１，１５２１，１５３１の上下の幅と一致する。枠材本体１５４１の外側面が、枠体１５の右側の側面１５ｄを構成し、ひいては天板部１の右側の側面を構成する。受け片１５４６は、天板本体１１の下面の右側の端部に当たるように構成されている。
【００３１】
受け片１５４６の手前側の部分には、右側のねじ具６を挿通する孔１５４８が上下に貫通形成されている。右側の係止具５は、受け片１５４６の手前側の部分の下面に、右側のねじ具６を用いて固定される。
【００３２】
そして、一実施形態のガスこんろでは、枠体１５のうち奥側の枠材１５２にだけ、内外に貫通する通気口１５０が形成されている。通気口１５０は、筐体８内の空間と外部空間を連通させる開口であり、具体的には、筐体８内に燃焼用の外気を引き込むように構成された給気口である。
【００３３】
奥側の枠材１５２において、通気口１５０は、左右に距離をあけて複数（一実施形態では４つ）形成されている。各通気口１５０は、左右の細長いスリット状の形状を有しており、その下縁から天板部１の内側に向けてフランジ部１５８が延長されている。フランジ部１５８は、バーリング加工によって、枠体１５に通気口１５０を設けるときに併せて成形することができる。フランジ部１５８は、通気口１５０の下縁から離れた箇所ほど上方に位置するように、斜め上方に傾斜した姿勢を有する（図４参照）。
【００３４】
言い換えれば、フランジ部１５８は、通気口１５０の下縁から手前側に向けて突出しており、手前側の箇所ほど上方に位置するように、斜め上方に突き出た姿勢を有する。
【００３５】
フランジ部１５８は、使用者の手が通気口１５０の縁に触れたときに切傷が生じることを抑える機能を有し、かつ、通気口１５０を通じて煮汁等が天板部１の内側に浸入することを抑える機能を有する。
【００３６】
ここで、上記したように、天板本体１１は平面視において枠体１５を隠すように構成されているので、天板本体１１の奥側の端縁部１１８（図４等参照）は、通気口１５０の上方を覆う庇の機能を有する。この機能により、天板本体１１の端から流下した煮汁等が通気口１５０を通じて天板部１の内側に浸入することは、一層効果的に抑制される。
【００３７】
上記した一実施形態のガスこんろによれば、通気口１５０が天板部１の上面に位置しないので、使用者にとっては通気口１５０が目につきにくく、通気口１５０を通じて天板部１及び筐体８の内側に煮汁等が浸入することも抑えられる。しかも、通気口１５０は天板部１の奥側の側面に位置するので、使用者にとっては通気口１５０が一層目につきにくい。
【００３８】
一実施形態のガスこんろは、筐体８がキャビネットに組み込まれて用いられるビルトインこんろであり、キャビネットのカウンター上に天板部１が置かれる（つまりカウンター上に枠体１５の下端が置かれる）。そのため、天板部１の通気口１５０を通じて、キャビネットの周囲の外気を効率的に取り込むことが可能である。一実施形態のガスこんろがキャビネットに組み込まれた状態において、枠体１５は、カウンターの上方に天板本体１１を支持する支持枠として機能することができる。
【００３９】
（変形例）
次に、一実施形態のガスこんろの各種の変形例について説明する。以下の変形例の説明において、一実施形態のガスこんろで説明した構成と同様の構成については、同一符号を付して詳しい説明を省略する。
【００４０】
一実施形態のガスこんろでは、ガスバーナ２を２つ備えているが、１つ又は３つ以上のガスバーナ２を備えることも可能である。
【００４１】
また、一実施形態のガスこんろはオーブンを備えていないが、オーブンを更に備えることも可能である。この場合、天板部１に設けた少なくとも一つの通気口１５０の全部又は一部を、オーブンの排気を行うための排気口として利用することが可能である。
【００４２】
また、一実施形態のガスこんろにおいては、枠体１５のうち奥側の枠材１５２にだけ（つまり奥側の側面１５ｂにだけ）通気口１５０を形成しているが、枠体１５の他の部分に通気口１５０を形成することも可能である。
【００４３】
一例として、枠体１５のうち手前側の枠材１５１を除いた部分に、少なくとも一つの通気口１５０を形成することが可能である。この場合、奥側の枠材１５２と左右の枠材１５３，１５４（つまり枠体１５の奥側と左右の側面１５ｂ，１５ｃ，１５ｄ）にそれぞれ少なくとも一つの通気口１５０を形成することが可能である。また、左右の枠材１５３，１５４（つまり枠体１５の左右の側面１５ｃ，１５ｄ）のそれぞれに、少なくとも一つの通気口１５０を形成し、奥側の枠材１５２には通気口１５０を形成しないことも可能である。
【００４４】
また、左右の枠材１５３，１５４のうち一方にだけ、少なくとも一つの通気口１５０を形成し、奥側の枠材１５２には通気口１５０を形成しないことも可能であるし、左右の枠材１５３，１５４のうち一方と奥側の枠材１５２にだけ、少なくとも一つの通気口１５０を形成することも可能である。
【００４５】
また、一実施形態のガスこんろにおいては、通気口１５０の下縁からフランジ部１５８を延長させているが、通気口１５０の縁の他の箇所からフランジ部１５８を延長させることも可能である。通気口１５０の縁の全周から筒状のフランジ部１５８を延長させることも可能である。
【００４６】
その他の構成においても、同様の作用効果を奏する範囲内において、適宜に設計変更を行うことが可能である。
【００４７】
（作用効果）
一実施形態及びこれの変形例に基づいて説明したように、本開示のガスこんろは、第１の特徴として以下の構成を備える。本開示のガスこんろは、筐体８と、筐体８内に取り付けられたガスバーナ２と、ガスバーナ２の上部を通すためのバーナ挿通口１１０が形成された天板部１を具備する。天板部１の側面には、筐体８内の空間を外部に連通させる少なくとも一つの通気口１５０が形成されている。
【００４８】
第１の特徴を備える本開示のガスこんろによれば、使用者が天板部１を見たときに通気口１５０が目立ちにくく、かつ、通気口１５０を通じて煮汁等が筐体８内に浸入することは抑えられる。
【００４９】
本開示のガスこんろは、第２の特徴として、第１の特徴に加えて以下の構成を備える。本開示のガスこんろにおいて、天板部１は、バーナ挿通口１１０が形成された天板本体１１と、天板本体１１の周縁部の下方に位置し、かつ天板本体１１に連結された枠体１５を含む。少なくとも一つの通気口１５０は、枠体１５に形成されている。
【００５０】
第２の特徴を備える本開示のガスこんろによれば、少なくとも一つの通気口１５０が形成された枠体１５と天板本体１１を連結させ、天板部１を構成することが可能である。
【００５１】
本開示のガスこんろは、第３の特徴として、第２の特徴に加えて以下の構成を備える。本開示のガスこんろでは、平面視において、天板本体１１は枠体１５よりも大きな外形を有し、天板本体１１によって枠体１５が隠れるように構成されている。
【００５２】
第３の特徴を備える本開示のガスこんろによれば、使用者が天板部１を見たときに枠体１５が更に目立ちにくく、通気口１５０も目立ちにくい。
【００５３】
本開示のガスこんろは、第４の特徴として、第２又は第３の特徴に加えて以下の構成を備える。本開示のガスこんろにおいて、天板本体１１は、通気口１５０の上方を覆うように外側方に突出した端縁部１１８を有する。
【００５４】
第４の特徴を備える本開示のガスこんろによれば、枠体１５に形成された通気口１５０を通じて、煮汁等が筐体８内に浸入することが、庇のように機能する端縁部１１８によって一層抑えられる。
【００５５】
本開示のガスこんろは、第５の特徴として、第２から第４のいずれか一つの特徴に加えて以下の構成を備える。本開示のガスこんろにおいて、枠体１５は、使用者から見て奥側を向くように形成された奥側の側面１５ｂを有する。少なくとも一つの通気口１５０は、奥側の側面１５ｂに形成された通気口１５０を含む。
【００５６】
第５の特徴を備える本開示のガスこんろによれば、使用者が天板部１を見たときに、通気口１５０が一層目立ちにくい。
【００５７】
本開示のガスこんろは、第６の特徴として、第１から第５のいずれか一つの特徴に加えて以下の構成を備える。本開示のガスこんろにおいて、天板部１は、通気口１５０の縁から天板部１の内側に向けて延長されたフランジ部１５８を有する。
【００５８】
第６の特徴を備える本開示のガスこんろによれば、枠体１５に形成された通気口１５０を通じて、煮汁等が筐体８内に浸入することが、フランジ部１５８によって一層抑えられる。
【符号の説明】
【００５９】
１  天板部
１１  天板本体
１１０  バーナ挿通口
１１８  端縁部
１５  枠体
１５ｂ  奥側の側面
１５０  通気口
１５８  フランジ部
２  ガスバーナ
８  筐体
【図１】
2020085324.tif 000003
【図２】
2020085324.tif 000004
【図３】
2020085324.tif 000005
【図４】
2020085324.tif 000006
【図５】
2020085324.tif 000007
【図６】
2020085324.tif 000008
【図７】
2020085324.tif 000009
【図８】
2020085324.tif 000010